(57)【要約】【課題】少ない数の配線でインターロック制御を実現でき、結線作業が容易なインターロック制御システムを提供すること。【解決手段】上流の制御装置の複数の制御ラインの各出力ピンを下流の制御装置の複数の制御ラインの各入力ピンに順次シリアルに接続し、最下流の制御装置の複数の制御ラインの各出力ピンを最上流の制御装置の複数の制御ラインの各入力ピンに接続している。【選択図】図１
2016188531.tif 000002
【特許請求の範囲】
【請求項１】
扉の電気錠の施解錠を制御し、当該扉の開扉を検出可能であり、前記扉の電気錠の施解錠を制御するための信号を入力する解錠制御信号入力部と、当該扉の開扉の信号を出力する開扉信号出力部とを有する制御装置を複数用いて複数の扉の電気錠のインターロック制御を行うインターロック制御システムであって、
各前記制御装置は、入力ピンと出力ピンとを有する複数の制御ラインと、前記複数の制御ラインのうち一の制御ラインに介挿され、前記制御ラインに電圧が印加されなくなったことが検出されたときに、前記解錠制御信号入力部に対して前記電気錠を施錠させるための信号を生成する検出部と、前記複数の制御ラインのうち残りの制御ラインに介挿され、前記開扉信号出力部から出力される扉の開扉の信号に応じて制御ラインを断とするスイッチ部とを有し、
上流の前記制御装置の複数の制御ラインの各出力ピンを下流の前記制御装置の複数の制御ラインの各入力ピンに順次シリアルに接続し、最下流の前記制御装置の複数の制御ラインの各出力ピンを最上流の前記制御装置の複数の制御ラインの各入力ピンに接続し、
各前記制御ラインに所定の直流電圧を印加するように構成した
インターロック制御システム。
【請求項２】
請求項１に記載のインターロック制御システムであって、
各前記制御装置は、複数の入力ピンを有する入力用コネクタ部と、複数の出力ピンを有する出力用コネクタ部とを有し、入力用コネクタ部及び出力用コネクタ部のうち、一方がプラブであり、他方がレセプタクルである
インターロック制御システム。
【請求項３】
請求項２に記載のインターロック制御システムであって、
前記制御装置の出力用コネクタ部と前記制御装置の入力用コネクタ部との接続を、一端にオスコネクタを有し、他端にメスコネクタを有するハーネスを用いた
インターロック制御システム。
【発明の詳細な説明】
【技術分野】
【０００１】
本発明は、インターロック制御システムに関する。
【背景技術】
【０００２】
インターロック制御とは、例えば２枚の扉が同時に開くことがないように２個の電気錠を制御することをいい、例えばクリーンルームの出入り口や病院の隣接する個室でのトイレの共有の場合に用いられる。研究所や工場などの施設では、多数の扉に対してインターロック制御が行われる場合もある。例えば、これらの施設においては、１つの扉が開いているときに、他の複数の扉が開くことがないような制御が行われる（非特許文献１参照）。
【０００３】
このようなインターロック制御では、例えば各扉の電気錠を制御する制御装置が１つの扉が開扉したときに当該扉の電気錠より開扉を検出し、これをトリガーとして、開かないことが要求される扉の電気錠に対して施錠を要求する。
【０００４】
従来から、電気錠を遠隔所から制御や操作をする電気錠制御盤や電気錠操作盤と呼ぶ制御装置が知られている（非特許文献２参照）。制御装置には、電気錠の他、操作表示器やタイマー、インターホン等が接続され、インターホンのやり取りに応じて操作表示器を操作することで電気錠を解錠したり、解錠したり、或いは外部のタイマーによって電気錠を解錠・施錠することができる。
【０００５】
上記のインターロック制御は、例えばこの制御装置を２組用意し、相互に接続することで実現する場合があった。この場合、例えば各制御装置に相互に接続するための基板を装着し、インターロック制御を実現している。より詳細には、図２に示すように、一方の制御装置Ａから他方の制御装置Ｂへ制御装置Ａの扉の開閉を知らせる第１の配線１０１と、制御装置Ｂから他方の制御装置Ａへ制御装置Ｂの扉の開閉を知らせる第２の配線１０２とで、２つの装置間を接続する。第１の配線１０１は、２本の線１０１ａ、１０１ｂの両端部１０１ｃ、１０１ｄが接続され、例えばＤＣ２４Ｖが印加されている。制御装置Ａの扉が開扉したとき、第１の配線１０１を断とするスイッチ部（リレー接点）１０１ｅが制御装置Ａに設けられ、スイッチ部１０１ｅが第１の配線１０１を断としたことを、すわなち第１の配線１０１の電圧が２４Ｖから０Ｖになったことを検出する検出部１０２ｆが制御装置Ｂに設けられている。同様に、第２の配線１０２は、２本の線１０２ａ、１０２ｂの両端部１０２ｃ、１０２ｄが接続され、例えばＤＣ２４Ｖが印加されている。制御装置Ｂの扉が開扉したとき、第２の配線１０２を断とするスイッチ部１０２ｅが制御装置Ｂに設けられ、スイッチ部１０２ｅが第２の配線１０２を断としたことを、すわなち第２の配線１０２の電圧が２４Ｖから０Ｖになったことを検出する検出部１０１ｆが制御装置Ａに設けられている。
【０００６】
そして、制御装置Ａ側の扉が開扉したとき、制御装置Ｂの検出部１０２ｆがこれを検出し、制御装置Ｂは制御装置Ｂに接続された扉の電気錠を施錠させるように制御する。制御装置Ｂ側の扉が開扉したとき、制御装置Ａの検出部１０１ｆがこれを検出し、制御装置Ａは制御装置Ａに接続された扉の電気錠を施錠させるように制御する。
すなわち、制御装置Ａの基板と制御装置Ｂの基板とを、４本の線によって接続することで、２つの扉のインターロック制御を実現している。
【先行技術文献】
【非特許文献】
【０００７】
【非特許文献１】http://dcs.mediapress-net.com/iportal/CatalogViewInterfaceStartUpAction.do?method=startUp&mode=PAGE&catalogId=5304900000&pageGroupId=1&volumeID=MIW10001&designID=LINK_MIW   ＷｅｂカタログＰ６２９
【０００８】
【非特許文献２】http://dcs.mediapress-net.com/iportal/CatalogViewInterfaceStartUpAction.do?method=startUp&mode=PAGE&catalogId=5304900000&pageGroupId=1&volumeID=MIW10001&designID=LINK_MIW   ＷｅｂカタログＰ５７０−５７１
【発明の概要】
【発明が解決しようとする課題】
【０００９】
３つ以上の扉のインターロック制御も上記の制御装置を扉の数だけ用いて同様のインターロック制御を実現できる。すなわち、例えば１つの扉が開扉したときに、他の複数の扉が開扉できないような制御を実現できる。
【００１０】
しかしながら、図２に示した構成で３つ以上の扉のインターロック制御を実現する場合には、各制御装置間をそれぞれ４本の線によって接続する必要がある。例えば４つの扉のインターロック制御を実現しようとすると、図３に示すように、制御装置Ａと制御装置Ｂ、制御装置Ａと制御装置Ｃ、制御装置Ａと制御装置Ｄ、制御装置Ｂと制御装置Ｃ、制御装置Ｂと制御装置Ｄ、制御装置Ｃと制御装置Ｄとをそれぞれ４本の線１０３で接続する必要がある。このため、配線数が多くなり、結線作業が極めて煩雑となり、結線を間違えると収拾がつかなくなる、という問題ある。
【００１１】
以上のような事情に鑑み、本発明の目的は、少ない数の配線でインターロック制御を実現でき、結線作業が容易なインターロック制御システムを提供することにある。
【課題を解決するための手段】
【００１２】
上記課題を解決するため本発明に係るインターロック制御システムは、扉の電気錠の施解錠を制御し、当該扉の開扉を検出可能であり、前記扉の電気錠の施解錠を制御するための信号を入力する解錠制御信号入力部と、当該扉の開扉の信号を出力する開扉信号出力部とを有する制御装置を複数用いて複数の扉の電気錠のインターロック制御を行うインターロック制御システムである。
【００１３】
各前記制御装置は、入力ピンと出力ピンとを有する複数の制御ラインと、前記複数の制御ラインのうち一の制御ラインに介挿され、前記制御ラインに電圧が印加されなくなったことが検出されたときに、前記解錠制御信号入力部に対して前記電気錠を施錠させるための信号を生成する検出部と、前記複数の制御ラインのうち残りの制御ラインに介挿され、前記開扉信号出力部から出力される扉の開扉の信号に応じて制御ラインを断とするスイッチ部とを有する。
【００１４】
そして、上流の前記制御装置の複数の制御ラインの各出力ピンを下流の前記制御装置の複数の制御ラインの各入力ピンに順次シリアルに接続し、最下流の前記制御装置の複数の制御ラインの各出力ピンを最上流の前記制御装置の複数の制御ラインの各入力ピンに接続して、各前記制御ラインに所定の直流電圧を印加するように構成した。
【００１５】
本発明の一形態では、各前記制御装置は、複数の入力ピンを有する入力用コネクタ部と、複数の出力ピンを有する出力用コネクタ部とを有し、入力用コネクタ部及び出力用コネクタ部のうち、一方がプラブであり、他方がレセプタクルである。
【００１６】
本発明の一形態では、前記制御装置の出力用コネクタ部と前記制御装置の入力用コネクタ部との接続を、一端にオスコネクタを有し、他端にメスコネクタを有するハーネスを用いる。
【発明の効果】
【００１７】
本発明によれば、少ない数の配線でインターロック制御を実現でき、結線作業が容易となる。
【図面の簡単な説明】
【００１８】
【図１】本発明の一実施形態に係るインターロック制御システムの構成示す概略図である。
【図２】従来のインターロック制御システムの構成示す概略図である。
【図３】従来のインターロック制御システムの構成示す概略図である。
【発明を実施するための形態】
【００１９】
以下、図面を参照しながら、本発明の実施形態を説明する。
図１は本発明の一実施形態に係るインターロック制御システムの構成示す概略図である。
【００２０】
同図に示すように、このインターロック制御システム１は、５枚の扉１１〜１５に対してインターロック制御を実現するものである。ただし、本発明は、これに限定されず、２枚上の扉のインターロック制御に適用可能であり、３枚以上の扉のインターロック制御に適用することで本発明の効果を特に奏する。
【００２１】
各扉１１〜１５には、それぞれ電気錠１１ａ〜１５ａが取り付けられている。各電気錠１１ａ〜１５ａには、遠隔所から制御や操作をする電気錠制御盤や電気錠操作盤と呼ぶ制御装置２１〜２５が接続されている。
【００２２】
各制御装置２１〜２５は、それぞれの扉１１〜１５の電気錠１１ａ〜１５ａの施解錠を制御し、当該扉１１〜１５の開扉を検出可能であり、扉１１〜１５の電気錠１１ａ〜１５ａの施解錠を制御するための信号を入力する解錠制御信号入力部２１ａ〜２５ａと、当該扉１１〜１５の開扉の信号を出力する開扉信号出力部２１ｂ〜２５ｂとを有する。解錠制御信号入力部２１ａ〜２５ａとしては、例えば制御装置２１〜２５が電気錠１１ａ〜１５ａを外部のタイマー（図示せず）を使って施解錠を制御する機能を有する場合に、そのタイマーの入力部（タイマー入力）を代用することができる。
【００２３】
各制御装置２１〜２５は、それぞれ、５本の制御ライン２１ＬＩＮＥ１−２１ＬＩＮＥ５〜２５ＬＩＮＥ１−２５ＬＩＮＥ５と、５本の制御ライン２１ＬＩＮＥ１−２１ＬＩＮＥ５〜２５ＬＩＮＥ１−２５ＬＩＮＥ５のうちそれぞれが異なる一の制御ライン２１ＬＩＮＥ１、２２ＬＩＮＥ２、２３ＬＩＮＥ３、２４ＬＩＮＥ４、２５ＬＩＮＥ５に介挿された検出部２１ａ１、２２ａ２、２３ａ３、２４ａ４、２５ａ５と、５本の制御ラインＬＩＮＥ１−２１ＬＩＮＥ５〜２５ＬＩＮＥ１−２５ＬＩＮＥ５のうち残りの４本の制御ラインに介挿されたスイッチ部２１ｂ２、２１ｂ３、２１ｂ４、２１ｂ５、２２ｂ１、２２ｂ３、２２ｂ４、２２ｂ５、２３ｂ１、２３ｂ２、２３ｂ４、２３ｂ５、２４ｂ１、２４ｂ２、２４ｂ３、２４ｂ５、２５ｂ１、２５ｂ２、２５ｂ３ｖ２５ｂ４とを有する。
【００２４】
５本の制御ライン２１ＬＩＮＥ１−２１ＬＩＮＥ５〜２５ＬＩＮＥ１−２５ＬＩＮＥ５は、それぞれ、それらの一端に５本の入力ピン２１ＩＮ１−２１ＩＮ５〜２５ＩＮ１−２５ＩＮ５を有し、それらの他端に５本の出力ピン２１ＯＵＴ１−２１ＯＵＴ５〜２５ＯＵＴ１−２５ＯＵＴ５を有する。
【００２５】
各制御装置２１〜２５は、それぞれ、外部との接続のためのレセプタクル（メス）の入力用コネクタ部２１ｃ〜２５ｃと、プラブ（オス）の出力用コネクタ部２１ｄ〜２５ｄとを有する。各入力用コネクタ部２１ｃ〜２５ｃは、それぞれ、５本の入力ピン２１ＩＮ１−２１ＩＮ５〜２５ＩＮ１−２５ＩＮ５が対応しており、各出力用コネクタ部２１ｄ〜２５ｄは、それぞれ、５本の出力ピン２１ＯＵＴ１−２１ＯＵＴ５〜２５ＯＵＴ１−２５ＯＵＴ５が対応している。なお、入力用コネクタ部がプラブ（オス）で、出力用コネクタ部がレセプタクル（メス）であっても構わない。
【００２６】
本実施形態では、上記のコネクタ部２１ｃ〜２５ｃ、２１ｄ〜２５ｄのピン番号を例えば回線のタイマー入力（解錠制御信号入力部２１ａ〜２５ａの入力）と紐付している。すなわち、コネクタ部２１ｃ、２１ｄのピン番号を「１」として、１回線（制御装置２１の解錠制御信号入力部２１ａに対応するライン）のタイマー入力ラインとし、コネクタ部２２ｃ、２２ｄのピン番号を「２」として、２回線（制御装置２２の解錠制御信号入力部２２ａに対応するライン）のタイマー入力ラインとし、コネクタ部２３ｃ、２３ｄのピン番号を「３」として、３回線（制御装置２３の解錠制御信号入力部２３ａに対応するライン）のタイマー入力ラインとし、コネクタ部２４ｃ、２４ｄのピン番号を「４」として、回線（制御装置２４の解錠制御信号入力部２４ａに対応するライン）のタイマー入力ラインとし、コネクタ部２５ｃ、２５ｄのピン番号を「５」として、５回線の（制御装置２５の解錠制御信号入力部２５ａに対応するライン）のタイマー入力ラインとしている。
【００２７】
各検出部２１ａ１、２２ａ２、２３ａ３、２４ａ４、２５ａ５は、それぞれ、当該検出部が介挿された制御ライン２１ＬＩＮＥ１、２２ＬＩＮＥ２、２３ＬＩＮＥ３、２４ＬＩＮＥ４、２５ＬＩＮＥ５に電圧が印加されなくなったことが検出されたときに、解錠制御信号入力部２１ａ〜２５ａに対して電気錠１１ａ〜１５ａを施錠させるための信号を生成する。検出部は、例えば無電圧ｃ接点のリレー接点により構成される。
【００２８】
各スイッチ部２１ｂ２、２１ｂ３、２１ｂ４、２１ｂ５、２２ｂ１、２２ｂ３、２２ｂ４、２２ｂ５、２３ｂ１、２３ｂ２、２３ｂ４、２３ｂ５、２４ｂ１、２４ｂ２、２４ｂ３、２４ｂ５、２５ｂ１、２５ｂ２、２５ｂ３ｖ２５ｂ４は、それぞれ、開扉信号出力部２１ｂ〜２５ｂから出力される扉１１〜１５の開扉の信号に応じて制御ライン２１ＬＩＮＥ１−２５ＬＩＮＥ１、２１ＬＩＮＥ２−２５ＬＩＮＥ２、２１ＬＩＮＥ３−２５ＬＩＮＥ３、２１ＬＩＮＥ４−２５ＬＩＮＥ４、２１ＬＩＮＥ５−２５ＬＩＮＥ５を断とする。スイッチ部は、例えば無電圧ｃ接点のリレー接点により構成される。
【００２９】
本実施形態に係るインターロック制御システム１では、上流の制御装置２１〜２５の５本の制御ライン２１ＬＩＮＥ１−２１ＬＩＮＥ５〜２５ＬＩＮＥ１−２５ＬＩＮＥ５の各出力ピン２１ＯＵＴ１−２１ＯＵＴ５〜２５ＯＵＴ１−２５ＯＵＴ５を下流の制御装置２１〜２５の５本の制御ライン２１ＬＩＮＥ１−２１ＬＩＮＥ５〜２５ＬＩＮＥ１−２５ＬＩＮＥ５の各入力ピン２１ＩＮ１−２１ＩＮ５〜２５ＩＮ１−２５ＩＮ５に順次シリアルに接続している。なお、図中左側を上流、右側を下流とする。  最下流の制御装置２５の５本の制御ライン２５ＬＩＮＥ１−２５ＬＩＮＥ５の各出力ピン２５ＯＵＴ１−２５ＯＵＴ５を最上流の制御装置２１の５本の制御ライン２１ＬＩＮＥ１−２１ＬＩＮＥ５の各入力ピン２１ＩＮ１−２１ＩＮ５に接続して、各制御ライン２１ＬＩＮＥ１−２５ＬＩＮＥ１、２１ＬＩＮＥ２−２５ＬＩＮＥ２、２１ＬＩＮＥ３−２５ＬＩＮＥ３、２１ＬＩＮＥ４−２５ＬＩＮＥ４、２１ＬＩＮＥ５−２５ＬＩＮＥ５がそれぞれループ状になるように接続されている。
【００３０】
ループ状に接続された各制御ライン２１ＬＩＮＥ１−２５ＬＩＮＥ１、２１ＬＩＮＥ２−２５ＬＩＮＥ２、２１ＬＩＮＥ３−２５ＬＩＮＥ３、２１ＬＩＮＥ４−２５ＬＩＮＥ４、２１ＬＩＮＥ５−２５ＬＩＮＥ５には、それぞれ、所定の直流電圧、例えばＤＣ２４Ｖが印加されている。例えば、図示を省略したが、各制御ライン２１ＬＩＮＥ１−２５ＬＩＮＥ１には制御装置２１が上記の電源を供給し、２１ＬＩＮＥ２−２５ＬＩＮＥ２には制御装置２２が上記の電源を供給し、２１ＬＩＮＥ３−２５ＬＩＮＥ３には制御装置２３が上記の電源を供給し、２１ＬＩＮＥ４−２５ＬＩＮＥ４には制御装置２４が上記の電源を供給し、２１ＬＩＮＥ５−２５ＬＩＮＥ５には制御装置２５が上記の電源を供給している。ただし、この構成は一例にすぎず、本発明は他の形態であっても勿論構わない。
【００３１】
上記の制御装置２１〜２５の出力用コネクタ部２１ｄ〜２５ｄと制御装置２１〜２５の入力用コネクタ部２１ｃ〜２５ｃとの接続は、一端にオスコネクタを有し、他端にメスコネクタを有するハーネス３１を用いている。このようなハーネス３１を用いることで、システム設置後に目的の扉用にシステム変更が容易となる。例えば、扉１３用とする場合に、３ピン制御ライン２１ＬＩＮＥ３−２５ＬＩＮＥ３を切断し、タイマー端子（解錠制御信号入力部２３ａ）に接続し、該当するピン制御ラインを切断して、開扉出力でリレーを作動させた無電圧ｃ接点出力に接続する。
【００３２】
このように構成されたインターロック制御システム１では、扉１１が開扉されると、制御装置２１が開扉信号出力部２１ｂより当該扉１１の開扉の信号を出力する。
【００３３】
スイッチ部２１ｂ２、２１ｂ３、２１ｂ４、２１ｂ５は、それぞれ、４本の制御ライン２１ＬＩＮＥ２−２５ＬＩＮＥ２、２１ＬＩＮＥ３−２５ＬＩＮＥ３、２１ＬＩＮＥ４−２５ＬＩＮＥ４、２１ＬＩＮＥ５−２５ＬＩＮＥ５２１ＬＩＮＥ１−２１ＬＩＮＥ５〜２５ＬＩＮＥ１−２５ＬＩＮＥ５を断とする。
【００３４】
４本の制御ライン２１ＬＩＮＥ２−２５ＬＩＮＥ２、２１ＬＩＮＥ３−２５ＬＩＮＥ３、２１ＬＩＮＥ４−２５ＬＩＮＥ４、２１ＬＩＮＥ５−２５ＬＩＮＥ５２１ＬＩＮＥ１−２１ＬＩＮＥ５〜２５ＬＩＮＥ１−２５ＬＩＮＥ５の検出部２２ａ２、２３ａ３、２４ａ４、２５ａ５は、それぞれ、当該検出部が介挿された制御ライン２１に電圧が印加されなくなったことが検出し、制御装置２２〜２５の解錠制御信号入力部２２ａ〜２５ａに対して電気錠１１ａ〜１５ａを施錠させるための信号を生成する。
制御装置２２〜２５は、電気錠１２ａ〜１５ａを施錠させるように制御する。
【００３５】
以上により、扉１１が開扉されると、扉１２〜１５の電気錠１２ａ〜１５ａが施錠されるインターロック制御を実現することができる。扉１２〜１５が開扉がされたときもこれと同様のインターロック制御を実現することができる。
【００３６】
本実施形態に係るインターロック制御システム１では、各制御ライン２１ＬＩＮＥ１−２５ＬＩＮＥ１、２１ＬＩＮＥ２−２５ＬＩＮＥ２、２１ＬＩＮＥ３−２５ＬＩＮＥ３、２１ＬＩＮＥ４−２５ＬＩＮＥ４、２１ＬＩＮＥ５−２５ＬＩＮＥ５をそれぞれループ状に接続したことで、少ない数の配線でインターロック制御を実現でき、結線作業が容易となる。すなわち、従来と比し結線箇所が半減し、システム構築の作業時間を短縮することができる。また、各扉用に専用の制御装置を製作する必要がなくなる。さらに、インターロックパターンが変更されれば、当該リレー接点を短絡することで変更可能となる。
【００３７】
また、システム構築の際に、簡単なルールで、すなわち上流側の出力用コネクタ部２１ｄ〜２５ｄをプラブ（オス）とし、下流側の入力用コネクタ部２１ｃ〜２５ｃをレセプタクル（メス）として統一し、コネクタ部２１ｃ〜２５ｃ、２１ｄ〜２５ｄのピン番号を例えば回線のタイマー入力（解錠制御信号入力部２１ａ〜２５ａの入力）と紐付し、最下流の出力用コネクタ部２１ｄ〜２５ｄをプラブ（オス）を最上流の入力用コネクタ部２１ｃ〜２５ｃをレセプタクル（メス）としてルール化でき、結線指示書などは不要となり、システム構築の作業の煩雑さを解消できる。
【００３８】
更に、従来は結線間違いがあった場合に通電作業が必要であるために、機器が破損することがあったが、本発明では回線番号、コネクタ種、ピン番号を確認すればよく、通電作業は不要でこうした機器破損はなくなる。なお、ピン番号に応じて線色を設定すれば、より作業性が向上する。
【００３９】
なお、本発明は、上記実施形態には限定されることはなく、本発明の技術的思想の範囲内で適宜変形して実施することができ、その実施の範囲も本発明の技術的範囲に属するものである。
【符号の説明】
【００４０】
１  インターロック制御システム
１１〜１５  扉
１１ａ〜１５ａ  電気錠
２１〜２５  制御装置
２１ＩＮ１−２１ＩＮ５〜２５ＩＮ１−２５ＩＮ５  入力ピン
２１ＯＵＴ１−２１ＯＵＴ５〜２５ＯＵＴ１−２５ＯＵＴ５  出力ピン
２１ＬＩＮＥ１−２１ＬＩＮＥ５〜２５ＬＩＮＥ１−２５ＬＩＮＥ５  制御ライン
２１ａ〜２５ａ  解錠制御信号入力部
２１ｂ〜２５ｂ  開扉信号出力部
２１ａ１、２２ａ２、２３ａ３、２４ａ４、２５ａ５  検出部
２１ｂ２、２１ｂ３、２１ｂ４、２１ｂ５、２２ｂ１、２２ｂ３、２２ｂ４、２２ｂ５、２３ｂ１、２３ｂ２、２３ｂ４、２３ｂ５、２４ｂ１、２４ｂ２、２４ｂ３、２４ｂ５、２５ｂ１、２５ｂ２、２５ｂ３ｖ２５ｂ４  スイッチ部
２１ｃ〜２５ｃ  入力用コネクタ部
２１ｄ〜２５ｄ  出力用コネクタ部
３１  ハーネス
【図１】
2016188531.tif 000003
【図２】
2016188531.tif 000004
【図３】
2016188531.tif 000005